(57)【要約】      （修正有）【課題】複数本の木材を貫通するボルトの穴開けが不要で、かつ木材の加工工程に余り時間を掛けない方法を可能とする化粧木材固定具と、該化粧木材固定具を使用して、コンクリート打設時のコンクリートの漏洩がなく、コンクリートの硬化後の脱型が不要で、木材が老朽化しても新化粧木材との交換が容易な残存化粧型枠パネルを提供する。【解決手段】ＡＡＳ樹脂製などの合成樹脂シートを真空成形した成形体からなる化粧木材押え具１、受け具２、一対の緊結具を利用して、数本の化粧木材単位で結合することで、木材の穴加工や平滑加工を簡素化した。また、上下左右に連結可能な金属製の枠体に上記押え具１、受け具２、一対の緊結具で化粧木材を固定することにより、化粧木材の脱着が容易な残存化粧型枠を得た。【選択図】    図２
2006118333.tif 000002
【特許請求の範囲】
【請求項１】
丸太材の円周方向の少なくとも１／４面を皮付きの化粧面として残すか、または少なくとも１／４面を曲面に加工した化粧木材を化粧対象面上に並置するに際し、数本の化粧木材を化粧対象面上に、木材の長さ方向に交差して、一対の緊結具を介して、押さえるための帯状の押え具が、合成樹脂シートの真空成形法によって得られる成形体であることを特徴とする化粧木材固定具。
【請求項２】
前記押え具を使用して、数本の化粧木材を挟み込んで、一対の緊結具を介して連結固定される受け具が、合成樹脂シートの真空成形法によって得られる成形体であって、一対の緊結具の片方を該受け具内に、一部を残して、挿入して使用することを特徴とする請求項１記載の化粧木材固定具。
【請求項３】
前記受け具自身が、コンクリート打設後の硬化で、引き抜き抵抗を有する形状であることを特徴とする請求項１および２記載の化粧木材固定具。
【請求項４】
前記受け具内に挿入して使用する一対の緊結具の片方において、緊結具を受け具内に挿入後も未挿入部を設け、該未挿入部がコンクリート打設後の硬化で、引き抜き抵抗を有する形状であることを特徴とする請求項１〜３いずれか１項記載の化粧木材固定具。
【請求項５】
前記真空成形法によって成形する合成樹脂シートの少なくとも表層部が、アクリロニトリル−アクリルゴム−スチレン共重合体（ＡＡＳ樹脂）、アクリロニトリル−塩素化ポリエチレン−スチレン共重合体（ＡＣＳ樹脂）、アクリロニトリル−エチレンプロピレンゴム−スチレン共重合体（ＡＥＳ樹脂）の単独かブレンドで構成されていることを特徴とする請求項１〜４いずれか１項記載の化粧木材固定具。
【請求項６】
上下左右に連結可能な矩形の金属製の枠体に、前記押え具か、または該押え具と前記受け具とで、数本の化粧木材と金属製の枠体の一部とを挟み込んで、一対の緊結具で連結固定することを特徴とする請求項１〜５いずれか１項記載の残存化粧型枠パネル。
【請求項７】
前記上下左右に連結可能な矩形の金属製の枠体が、開口部において、網目状の材料で塞がれていることを特徴とする請求項１〜６いずれか１項記載の残存化粧型枠パネル。
【発明の詳細な説明】
【技術分野】
【０００１】  本発明は、コンクリート構築物の前面を化粧するに際し、利用価値の低い間伐材などの木材を化粧材料として利用することを目的として、コンクリート打設時に化粧木材を型枠に固定する化粧木材固定具と、それを用いて化粧木材を固定した残存化粧型枠パネルに関する。
【背景技術】
【０００２】  従来から、コンクリート構築物の前面を化粧する方法は種々あり、模様の着いた発泡スチロール製の型枠を打設するコンクリートの前面にセットし、コンクリートが硬化後脱型したり、模様の着いたコンクリート製の型枠を脱型不要な残存型枠として使用する方法などがある。【０００３】  近年、国民の審美眼も肥えて、コンクリート構築物に単にコンクリート製の模様が着いているだけでは自然感が連想されずに違和感すら抱かれるようになってきている。一方、杉などの間伐材が利用分野を見出すことができず、老木化して来ており、杉花粉の大量の発生源となり花粉症患者の増加や老木の根の吸水・保水能力の低下から来る土砂崩れなどの災害が国家的な課題にまで浮上しつつある。【０００４】  この様な背景から、利用価値の乏しい間伐材をコンクリート構築物の表面化粧材に利用しようとする技術が多数提案されている。例えば、所定の長さに切断された複数本の木材を上下に積み重ね、上下に貫通する部材（ボルト）、該貫通部材を上端および下端で支持する支持部材、該支持部材にコンクリート打設後の硬化でアンカーとなるアンカー部材を設けた化粧型枠パネル（特許文献１）の提案がなされている。本提案におけるパネルどうしの上下および左右の連結は、各パネルの支持部材に設けた孔どうしのボルト／ナットによる螺合で連結固定されることが実施例で例示されている。【０００５】  この様に、複数本の木材をボルトで把ねたパネルどうしを支持部材で連結する方法は他にも多く見られるが、まず貫通部材のボルトを通す孔を各木材の所定の位置に正確に開口しなければならないこと、構築した型枠のコンクリート打設側に打設コンクリートの漏出を抑えるものがないため、少なくとも木材を積み重ねる上下面の平滑性の確保が厳しく要求され、平滑加工後の木材の僅かなソリも許されない課題がある。また、木材の上下面を幅広く平滑にすることは、比較的直径の大きい木材か木材の太い部分だけを対象とせねばならず、間伐材の利用範囲を狭める。さらに、各木材間をボルトが貫通しているため、老朽化した木材を撤去したり、撤去した木材に替えて新木材を装着することが極めて困難である。【０００６】  これに対して、打設コンクリートの漏洩を防ぐため、上下のパネル間に発泡シートのシール部材を挟んだり（特許文献２）、木材間をボルトで緊結するのに加えて、木材の上面に篏合凸部、下面に篏合凹部を設けて篏合させながら積み重ねる方法（特許文献３）などがあるが、別部材が必要であったり、ますます木材加工に手間が掛かり好ましいことではない。また、木材が寿命となったときに簡単に取り外して交換することが可能な残存化粧型枠（特許文献４）の提案があり、木材間の連結を貫通したボルトとせず、当接する木材どうしの上下面に金属ピンを挿通させ、基礎に埋設固定して立設した複数の溝形鋼への固定は積み重ねる木材の数本に１本の割合で、木材の表面から金属ボルトを挿通して固定している。確かに、特許文献１から比べると取り外しは容易であるが、支持体である溝形鋼に接合していない複数の木材に痩せが発生すれば、その痩せの総和が溝形鋼に固定した木材との間に出現する訳であり、打設したコンクリートにより外れたり、漏出したりする可��性が想定される。上下の木材に金属ピンを挿通する孔の加工も容易ではない。【０００７】  さらに、打設コンクリートの漏洩を防止し、木材の加工工程を減少し、木材が腐食した場合に簡単に交換できる木材化粧捨て型枠（特許文献５）の提案がある。本案は、軽量コンクリートパネル表面に数本の木材を固定するもので、特許文献１〜３と同様に、木材間を貫通する緊結具（実施例ではステンレス製ボルト／ナットでの螺合）取り付け木材パネルとし、これを軽量コンクリートのパネル本体に固定する方法は、パネル本体の４隅に設けられた穴とこれに対応する木材パネル側に設けられた穴に、脱着自在なボルトを通してナットにより固定する方法である。この方法は打設コンクリートの漏洩はなく、従って間伐材の上下面の密着度を余り気にすることはなく、木材を半割りいた後、上下面を切削する程度で済む。木材パネル部だけの取替えもそう難しいことはない。ただし本技術でも、木材間に貫通する穴加工が必要なことと、軽量コンクリートパネルは割れやすく、厚くするとパネル重量が重くなって作業性を悪くするなどの欠点が挙げられる。
【特許文献１】特開平９−１３４０６号公報
【特許文献２】特開２００１−７３３４８号公報
【特許文献３】特開２０００−２７３８８２号公報
【特許文献４】特開２００１−２００５４６号公報
【特許文献５】特開２００２−２４２２０９号公報
【発明の開示】
【発明が解決しようとする課題】
【０００８】  本発明は、従来の技術では化粧する複数本の木材を貫通する穴を通じてボルトなどの緊結具により固定したり、打設したコンクリートの化粧木材間の隙間からの漏出を防止するため木材の上下面の平滑加工工程に時間を掛けていることに鑑み、複数本の木材を貫通するボルトの穴開けが不要で、かつ木材の加工工程に余り時間を掛けない方法を可能とする化粧木材固定具と、該化粧木材固定具を使用して、コンクリート打設時のコンクリートの漏洩がなく、コンクリートの硬化後の脱型が不要で、木材が老朽化しても新化粧木材との交換が容易な残存化粧型枠パネルを提供することにある。
【課題を解決するための手段】
【０００９】  以上のような状況に鑑み、本発明者は鋭意検討の結果、化粧する数本の木材を積み重ねたときに共通する位置に貫通する穴を開けるのを省略する方法として、化粧木材を化粧対象面上に並置するに際し、数本の化粧木材を化粧対象面上に、木材の長さ方向に交差して、一対の緊結具を介して、押さえるための帯状の押え具と、必要であれば該押え具に対して一対の緊結具を介して連結固定される受け具を合成樹脂シートの真空成形法によって得られる成形体製とし、これら化粧木材固定具で数本の化粧木材を挟み込む新規な方法を考案した。【００１０】  また、上記押え具と上記受け具とで上記一対の緊結具を介して、数本の化粧木材を挟み込んで固定する方法において、一対の緊結具のいずれか片方を受け具に挿入し、その緊結具の一部が受け具からはみ出して、コンクリート打設側に残るようにすることを提案する。該受け具内に未挿入の緊結具の一部がコンクリート打設後の硬化で、引き抜き抵抗を有する形状であれば、これらの形状がアンカーとなることが出来る。さらに、受け具自身もコンクリート打設後の硬化で、引き抜き抵抗を有する形状であることもアンカーとなるので好ましい対応である。【００１１】  前記合成樹脂シートの真空成形法によって得られる成形体とは、少なくとも表層部が、アクリロニトリル−アクリルゴム−スチレン共重合体（ＡＡＳ樹脂）、アクリロニトリル−塩素化ポリエチレン−スチレン共重合体（ＡＣＳ樹脂）、アクリロニトリル−エチレンプロピレンゴム−スチレン共重合体（ＡＥＳ樹脂）の単独かブレンドで構成されていることによって、その持つ優れた耐候性によって屋外暴露による劣化を遅らせることができる。【００１２】  さらに、本発明の化粧木材固定具を有効に活用する方法として、支持部材を上下左右に連結可能な矩形の金属製の枠体として、上記押え具と該金属製の型枠とで数本の化粧木材を挟み込む（受け具を使用しない例）か、または該押え具と上記受け固定具とで、数本の化粧木材と鋼製の枠  体の一部とを挟み込んで、一対の緊結具で連結固定した残存化粧型枠パネルを提案する。【００１３】  また、上記上下左右に連結可能な矩形の金属製の枠体が、開口部において網目状の材料で塞ぐことで打設コンクリートの漏洩を防ぐことが出来る。
【発明の効果】
【００１４】  本発明の化粧木材固定具を使用すれば、化粧木材の加工工程の減少が可能となり、軽量で作業しやすいので化粧木材の化粧対象面からの脱着が容易となり、さらに、支持体を金属製の枠体および該枠体に金属メッシュを張ったパネルとすることで、型枠のセッテングが容易な残存化粧型枠を得、金属メッシュで打設コンクリートの漏洩が防止でき、利用価値の乏しい間伐材の使用がますます促進される。
【発明を実施するための最良の形態】
【００１５】  本発明で用いられる化粧木材の加工は、丸太材の円周方向の少なくとも１／４面を皮付きの化粧面として残すか、または少なくとも１／４面を曲面に加工した化粧木材であれば本発明の化粧木材固定具は使用できるが、丸太材や半割り材またはそれらの外周方向での加工品の方が、従来法に見られる、木材を載置するために上下面を一定の幅で平滑に加工する方法よりも簡略化できることと、平滑加工がないため太さが比較的細い間伐材までが利用できることから好ましい対応と言える。【００１６】  また本発明では、化粧木材の長さや太さは任意決められるので定義するものではないが、間伐材の皮を剥ぎ、１〜２ｍ程度で決められた長さのもので、直径を１００ｍｍφまたは１２０ｍｍφとして丸太材を加工したものか、これを半割りにしたものを使用することが、本発明の好ましい実施形態と言える。【００１７】  本発明の、数本の化粧木材を木材の長さ方向に交差して、一対の緊結具を介して、押さえるための帯状押え具において、緊結具の種類、形状および本数や配置、および帯状押え具の形状や列数は定義するものではないが、棒または板状であれば、数本の化粧木材を積載あるいは並置した時に、化粧面の少なくとも左右１列ずつを切削除去し平滑な溝を形成することが好ましく、一対の緊結具の配置は、化粧木材を化粧面側から貫通させた穴か、化粧木材どうしの接合部に開けた穴を通す方法が取られ、その本数や配置は適宜決定するものとする。【００１８】  また、帯状押え具の押さえる面に数個の曲面を形成することで、数本の化粧木材の化粧面が形成する曲面に密着させることが可能となり、上述の平滑な溝加工は不要となり、一対の緊結具の配置は化粧木材を化粧面側から貫通させた穴を通しても良いが、化粧木材どうしの接合部に穴を開ける方が、加工が容易であり切削量が少ないので好適である。【００１９】  また、本発明の受け具についても形状は問わないが、列数および位置は押え具と緊結具を介した対称位置に配置される。この時、一対の緊結具の片方を、受け具内に一部を残して、挿入しておくことで、以下３つの機能を発揮することができる。一つは、受け具に挿入された複数の緊結具の片方と、押え具に後から挿入されるもう片方の緊結具との対称位置関係の配置がスムーズに行えること。（最初に受け具の適宜な配置さえ行えば、押え具はそれに合わせて緊結具で固定できる。）一つは、受け具の打設コンクリート側の面を型枠や支持体の面と平行で、ある程度の厚みがあれば、受け具の打設コンクリート側から一対の緊結具の片方を挿入することで、緊結具を型枠や支持体の面から垂直に立設することができ、後から押え具のもう片方の緊結具を挿入した時に、螺合などスムーズに連結できる。（一対の緊結具の片方が曲がって固定されていると、もう片方と緊結できない。）一つは、受け具外に残された緊結具の一部が、打設コンクリートが硬化すればアンカーとなることである。【００２０】  さらに、上述した受け具内に未挿入の緊結具の一部がコンクリート打設後の硬化で、引き抜き抵抗を有する形状とは、様々な形状が想定されるが、例えばアンダーカット形状、さらに例えば未挿入の緊結具の一部がボルトであったり、端末にナットをはめたボルトであ��ば緊結具はコンクリートから引き抜き困難となる。【００２１】  同様なことが受け具の形状にも言え、受け具がコンクリート打設後の硬化で、引き抜き抵抗を有する形状、例えば受け具が型枠や支持体に接する面よりも、受け具のコンクリート打設側の面が広い面積を持つ形状であれば、当然受け具をコンクリートから引き抜く時には抵抗となる。【００２２】  本発明では、押え具や受け具に合成樹脂シートの真空成形法によって得られる成形体を採用しているが、その素材として耐候性の良いアクリロニトリル−アクリルゴム−スチレン共重合体（ＡＡＳ樹脂）、アクリロニトリル−塩素化ポリエチレン−スチレン共重合体（ＡＣＳ樹脂）、アクリロニトリル−エチレンプロピレンゴム−スチレン共  重合体（ＡＥＳ樹脂）が好ましく、これらの単独かブレンドされたものが好適に使用できる。また、合成樹脂シートが多層の合成樹脂で構成されているならば、少なくともそのトップ層に上記合成樹脂が来るようにすることでも耐候性能は確保できる。【００２３】  次ぎに、本発明は数本の化粧木材をパネル上に固定した脱型不要な残存化粧型枠を提案しており、上下左右に連結可能な矩形の金属製の枠体とは、例えば、鉄やアルミ製の断面Ｌ型やＣ型などの型鋼を溶接やボルト止めなどで矩形の枠体とし、必要に応じて桟を渡し、例えば枠体に連結用の穴を開け、ボルト／ナットで枠体どうしを上下左右に連結可能としたものを指す。該金属製の枠体に数本の化粧木材を固定する方法は、上述した本発明の押え具と枠体とで数本の化粧木材を挟み込み、例えばボルト／ナットで緊結するか、または該押え具と上述した本発明の受け具とで、数本の化粧木材と鋼製の枠体の一部とを挟み込んで、一対の緊結具で連結固定する方法が好ましい実施態様となる。金属製の枠体を連結してコンクリート打設用型枠として組み上げる際に、セパレーターや型枠のサポーターを枠体の一部と連結設置することも可能である。【００２４】  なお、最初に数本の化粧木材を固定した残存化粧型枠を上下左右に連結してコンクリート打設用型枠に組み上げてもよいが、まず金属製の枠体どうしを組み上げて、後から本発明の押え具と緊結具で化粧木材を固定していく方法もある。【００２５】  また、前記金属製の枠体の開口部に、例えばエクスパンドメタル、平織金網や亀甲金の漏洩を防ぐことができ、これらの金網を介して、上述の押え具と受け具を、数本の化粧木材を挟んで、一対の緊結具で連結固定することもできる。
【実施例】
【００２６】  以下に実施例を挙げて本発明の態様をさらに詳しく説明するが、本発明はこれらの実施例のみに限定されるものではない。【００２７】  （ＡＡＳ樹脂製の押え具および受け具）
アクリロニトリル−アクリルゴム−スチレン共重合体（ＡＡＳ樹脂）の４ｍｍ厚みのシート（新神戸電機株式会社製；商品名；コウベシート）を真空成形して、図１の本発明の押え具１および受け具２を作製した。【００２８】  （実施例１）
６本の化粧木材（丸太５）を、上述の発泡成形体製の押え具１と受け具２とで挟み込み、一対の緊結具（３と４）とを介して固定した１例を図１に示す。本実施例で使用した丸太は、長さ１２００ｍｍに切断した原木の丸太を直径１００ｍｍに外周方向に切削加工したものを使用したが、丸太材の円周方向の少なくとも１／４面を皮付きの化粧面として残すか、または少なくとも１／４面を曲面に加工した化粧木材であれば、押え具や受げ具の形状は多少調整が必要となるが、本発明の実施は可能である。【００２９】  本実施例では、一対の緊結具の片方３に長ボルトを使用し、これと緊結するもう片方４には特殊インサート（雌ネジのパイプに鍔を付けたもの）を採用した。さらに特殊インサート４にボルト／ナット６を取り付けたので、コンクリート打設後の硬化により、強力なアンカー効果が発揮される。特殊インサートは本実施例に限らず、アンカー一体型であっても良く、種々の形状のものが使用可能である。また本実施例では、受け具２自身もコンクリート打設側の面を広く、化粧木材側を狭くした形状７を採用したので、受け具自身がコンクリートから引き抜く時には抵抗となっている。【００３０】  本実施例は押え具、受け具、緊結具、アンカーの配置関係を示すものであって、本来のコンクリート打設型枠として使用するには、一般的方法として、ベニヤ板の計画された所定の位置に穴を開け、ここに、受け具２の穴を一致させて釘打ちや両面テープ接着で受け具２を固定し、さらに一対の緊結具の片方４（本例ではアンカーにボルト／ナットを接続した特殊インサート。）をセットした後、コンクリートを打設し、硬化後ベニヤ板を脱型して、押え具１と一対の緊結具のもう片方３とで化粧木材を挟んで固定する方法が挙げられる。【００３０】  （実施例２）
図２は本発明による残存化粧型枠パネルの１実施例である。図１と異なり、鉄フレーム８にエクスパンドメタル９を張った支持体に、予め６本の化粧木材（丸太５）を、押え具１と受け具２とで挟む格好で、緊結具を介して連結したパネルであり、これを１単位として、フレーム連結用穴１０を利用して、ボルト／ナットで縦横に連結固定して、組み上げることができるコンクリート打設後脱型が不要な残存化粧型枠パネルである。
【図面の簡単な説明】
【００３１】
【図１】  本発明の押え具、受け具、一対の緊結具を使用して化粧木材（丸太）を固定した状態を示す。
【図２】  本発明の残存化粧型枠パネルの１例を示す。
【符号の説明】
【００３２】  １  押え具
２  受け具
３  一対の緊結具の片方
４  特殊インサート
５  原木丸太を１００ｍｍφに加工した丸太
６  ボルト／ナットによるアンカー
７  受け具自身によるアンカー
８  鉄フレーム
９  エクスパンドメタル
１０  フレーム連結用の穴
【図１】
2006118333.tif 000003
【図２】
2006118333.tif 000004